(57)【要約】 【課題】  操作に応じて振動によるフィードバックを伝えることで設定の変化をユーザーが知ることが可能となるが、その設定の変更が画質に悪影響を与える変更なのかどうかを簡便に知ることが出来ない。【解決手段】  現在操作している設定値の種類において、画質に影響を及ぼす範囲を越える際に振動の周波数あるいは強弱を変更することで、ユーザーに画質に影響を及ぼす閾を乗り越えたことを強調してフィードバックを行い、ユーザーが画質に影響のない範囲で設定値の操作をしていることを簡便に知ることが可能となる。【選択図】  図１
2019184896.tif 000002
【特許請求の範囲】
【請求項１】
１０３静電容量センサ入力装置と１０３静電容量センサ入力装置から入力を検出する２０１入力処理部と、
２０１入力処理部からカメラ設定値の変更を検出する２０２カメラ設定処理部と、
振動の周波数および強弱を変更可能な１０４振動素子と、を備え、
２０２カメラ設定処理部はカメラ設定値の変更を検出すると画質に影響を及ぼす設定値であるかを判断し、画質に影響を及ぼさない範囲内の場合に１０４振動素子に通常の振動を指示し、画質に影響を及ぼさない範囲を超える場合に振動の大きさを変更して１０４振動素子に強調した振動を指示することを特徴とする撮像装置。
【請求項２】
請求項１に記載の２０２カメラ設定処理部は設定値の種類がズームである場合に、設定値の範囲が光学ズームである場合に１０４振動素子に通常の振動を指示し、設定値の範囲がデジタルズームである場合に振動の大きさを変更して１０４振動素子に強調した振動を指示することを特徴とする撮像装置。
【請求項３】
請求項１に記載の２０２カメラ設定処理部は設定値の種類がISOである場合に、設定値の範囲が常用ISOである場合に１０４振動素子に通常の振動を指示し、設定値の範囲が拡張ISOである場合に振動の大きさを変更して１０４振動素子に強調した振動を指示することを特徴とする撮像装置。
【請求項４】
請求項１に記載の２０２カメラ設定処理部は設定値の種類がISO、Tv、Avである場合に、２０４測光センサの信号値とカメラ設定値から測光演算を行い露出値を検出する２０３測光値演算処理部と、
２０２カメラ設定処理部は露出値から撮像センサで得られる画像の露出評価を行い現在のカメラ設定値で得られる画像の輝度値が白とびあるいは黒つぶれした高輝度限界あるいは低輝度限界を超える画質になっているかを判断し、高輝度限界あるいは低輝度限界を超えない画質の場合に１０４振動素子に通常の振動を指示し、高輝度限界あるいは低輝度限界を超える画質の場合に振動の大きさを変更して１０４振動素子に強調した振動を指示することを特徴とする撮像装置。
【請求項５】
請求項１に記載の２０２カメラ設定処理部はカメラ設定値が画質に影響を及ぼさないかの判断をし、カメラ設定値が画質に影響を及ぼす場合に振動の周波数を変更して１０４振動素子に強調した振動を指示することを特徴とする撮像装置。
【請求項６】
請求項１に記載の２０２カメラ設定処理部はカメラ設定値が画質に影響を及ぼさないかの判断をし、カメラ設定値が画質に影響を及ぼす場合に振動の回数を変更して振動素子に強調した振動を指示することを特徴とする撮像装置。
【発明の詳細な説明】
【技術分野】
【０００１】
本発明は振動フィードバック制御方法および制御装置に関する
【背景技術】
【０００２】
カメラにおけるタッチパネルのような静電容量センサを用いた入力装置においてスライド操作による設定値の変化はクリック感がないため設定値の変化を感じ取れず操作が継続してしまい意図した設定値からずれてしまうケースがある。
【０００３】
このように操作が意図した設定値からずれてしまう解決手段として、近年ではタッチパネルの操作に応じて振動によるフィードバックを伝えることがボタンのクリック感に代わる有効な手段として知られている。
【０００４】
また、特許文献１にあるように操作の位置に応じて振動の振幅や周期を可変とすることで現在の設定値がどの程度のものか簡便に知ることが可能となる。
【先行技術文献】
【特許文献】
【０００５】
【特許文献１】特開2010-128526号公報
【発明の概要】
【発明が解決しようとする課題】
【０００６】
特許文献１記載の解決手段ではタッチパネルの範囲に応じて振動の振幅と周期を決定しているが、画質に関するカメラの設定値を扱うことを考えた場合、被写体や周辺の環境によって設定値に対する画質の優劣は常に変化する。
【０００７】
たとえばズームの設定値を例に挙げると、光学ズームとデジタルズームの切り替わりが画質に影響を及ぼす設定値の範囲となる。
【０００８】
ISOである場合、ノイズ発生量が画質の観点で許容範囲内とされる通常の使用時に有効なISO感度の範囲を常用ISOと定義し、ノイズ発生量が若干多いが画質よりも感度を優先したいISO感度の範囲を拡張ISOと定義し、常用ISOと拡張ISOとの切り替わりが画質に影響を及ぼす設定値の範囲となる。
【０００９】
Tv、Av、ISOの設定値を操作した場合、低輝度限界あるいは高輝度限界を超える範囲が画質に影響を及ぼす設定値の範囲となる。
【００１０】
以上の設定値に対しては、特許文献１のようなタッチパネルの範囲に応じて一意に定まるようなものではない。
【００１１】
従来の方法では、操作に応じて振動によるフィードバックを伝えることで設定の変化をユーザーが知ることが可能となるが、その設定の変更が画質に悪影響を与える変更なのかどうかを簡便に知ることが出来ない。
【課題を解決するための手段】
【００１２】
本発明では振動フィードバックセンサにおいて、振動の周波数および振動の強弱を変更することによって、画質に影響を及ぼす設定値の範囲を超える操作を行った時にユーザーに強調して通知する。
【００１３】
ズームの設定値を例に挙げると、光学ズームとデジタルズームの切り替わりが画質に影響を及ぼす設定値の範囲となるので、光学ズームとデジタルズームの切り替わりとデジタルズームでの操作時に強調して振動フィードバックを行う。
【００１４】
ISOを例に挙げると、常用ISOと拡張ISOの切り替わりが画質に影響を及ぼす設定値の範囲となるので、常用ISOと拡張ISOの切り替わりと拡張ISOでの操作時に強調して振動フィードバックを行う。
【００１５】
Tv、Av、ISOの設定値を例に挙げると、その設定値が画質に影響のある範囲内か否かを判断するために測光演算結果に基づいた露出値の評価が必要となる。その結果として低輝度限界あるいは高輝度限界を超える範囲が画質に影響を及ぼす設定値の範囲となるので、画質に影響を及ぼす設定値の場合に強調した振動フィードバックを行う。
【００１６】
つまり現在操作している設定値の種類に応じて、画質に影響を及ぼす範囲を乗り越える際に振動の周波数あるいは強弱を変更することで、ユーザーに画質に影響を及ぼす閾を乗り越えたことを強調して振動フィードバックを行い、ユーザーが画質に影響のない範囲で設定値の操作をしていることを簡便に知ることが可能となる。
【発明の効果】
【００１７】
本発明によれば「画質に影響のない範囲内で設定値の操作をしていることを簡便に知る」ことができる。
【図面の簡単な説明】
【００１８】
【図１】カメラ本体の構成
【図２】カメラ設定の変更と判断を行う処理部の構成
【図３】ズームの設定値の変更と判断を行うフローチャート
【図４】ISOの設定値の変更と判断を行うフローチャート
【図５】ISO、Tv、Avの設定値の変更と判断を行うフローチャート
【発明を実施するための形態】
【００１９】
［実施例１］
本発明の最良の実施例について図面をもとに説明する。図１では本実施例で説明する静電容量センサを入力装置として備えたカメラの構成を表しており、１０１カメラ本体は１０２画面表示部、１０３静電容量センサ入力装置、１０４振動素子を備えている。
【００２０】
１０３静電容量センサ入力装置は指のタッチ位置を検出することでカメラの設定を変更することが可能である。１０２画面表示部はタッチ操作でカメラ設定が変更したことを受けてカメラ設定を表示することが可能である。
【００２１】
図２は１０１カメラ本体を構成するうえでカメラ設定の変更と判断を行う処理部の構成を表しており、２０１入力処理部と２０２カメラ設定処理部、２０３測光値演算処理部、２０４測光センサと１０２画面表示部、１０３静電容量センサ入力装置、１０４振動素子を備えている。１０３静電容量センサ入力装置で検出したタッチ位置がユーザーによるスライド操作によって変化したことを２０１入力処理部で検出し、カメラ設定の変更の要求を２０２カメラ設定処理部に通知する。
【００２２】
２０２カメラ設定処理部は現在変更されている設定の種類において設定値の変更を行う。２０２カメラ設定処理部は設定値が変化したことを２０３測光値演算処理部に通知し、２０３測光値演算処理部は２０４測光センサの信号値とカメラ設定値から測光演算を行い露出値を検出し、露出値を２０２カメラ設定処理部に通知する。２０２カメラ設定処理部が設定値の変更を受け付けると１０４振動素子に振動を指令する。このとき、２０２カメラ設定処理部は現在の設定値に応じて振動の強弱を指示することが出来る。１０２画面表示部は２０２カメラ設定処理部から変更後の設定値を受け取り、設定値を表示する。
【００２３】
図３では本実施例におけるカメラ設定の種類のひとつであるズームの設定値に応じた２０２カメラ設定処理部の制御フローを表している。以下は図３に基づいて本実施例の手順を説明する。
【００２４】
S101
１０３静電容量センサ入力装置よりスライド操作が行われると２０１入力処理部がスライド操作を受け付ける。
【００２５】
S102
２０１入力処理部はスライド操作を受け付けると操作が設定値の変更を行う移動量を満たすかどうかの閾値判定を行う。閾値を超える移動量を検出した場合、設定値の変更要求を２０２カメラ設定処理部に行う。
【００２６】
S103
設定値の種類がズームであった場合、２０２カメラ設定処理部はズームの設定値が光学ズームであるかデジタルズームであるかを判断し、光学ズームの範囲内である場合にS104通常振動フィードバックを行う。光学ズームからデジタルズームに切り替わる閾値を超えるとき、あるいはデジタルズームの範囲内である場合にS105強調振動フィードバックを行う。
【００２７】
S104
１０４振動素子は通常振動フィードバックを行う指示を受けると、既定の振幅で１０４振動素子を駆動し、クリック感をユーザーにフィードバックする。
【００２８】
S105
１０４振動素子は強調振動フィードバックを行う指示を受けると、既定の振幅よりも大きな振幅に変更し、大きなクリック感をユーザーにフィードバックする。ここで振動の振幅の代わりに振動の周波数あるいは振動の回数を変更してもよい。
【００２９】
図４では本実施例におけるカメラ設定の種類のひとつであるISOの設定値に応じた２０２カメラ設定処理部の制御フローを表している。以下は図４に基づいて本実施例の手順を説明する。
【００３０】
S201
１０３静電容量センサ入力装置よりスライド操作が行われると２０１入力処理部がスライド操作を受け付ける。
【００３１】
S202
２０１入力処理部はスライド操作を受け付けると操作が設定値の変更を行う移動量を満たすかどうかの閾値判定を行う。閾値を超える移動量を検出した場合、設定値の変更要求を２０２カメラ設定処理部に行う。
【００３２】
S203
設定値の種類がISOであった場合、２０２カメラ設定処理部はISOの設定値が常用ISOであるか拡張ISOであるかを判断し、常用ISOの範囲内である場合にS204通常振動フィードバックを行う。常用ISOから拡張ISOに切り替わる閾値を超えるとき、あるいは拡張ISOの範囲内である場合にS205強調振動フィードバックを行う。
【００３３】
S204
１０４振動素子は通常振動フィードバックを行う指示を受けると、既定の振幅で１０４振動素子を駆動し、クリック感をユーザーにフィードバックする。
【００３４】
S205
１０４振動素子は強調振動フィードバックを行う指示を受けると、既定の振幅よりも大きな振幅に変更し、大きなクリック感をユーザーにフィードバックする。ここで振動の振幅の代わりに振動の周波数あるいは振動の回数を変更してもよい。
【００３５】
図５では本実施例におけるカメラ設定の種類がISOあるいはTv、Avであった場合の２０２カメラ設定処理部の制御フローを表している。以下は図５に基づいて本実施例の手順を説明する。
【００３６】
S301
１０３静電容量センサ入力装置よりスライド操作が行われると２０１入力処理部がスライド操作を受け付ける。
【００３７】
S302
２０１入力処理部はスライド操作を受け付けると操作が設定値の変更を行う移動量を満たすかどうかの閾値判定を行う。閾値を超える移動量を検出した場合、設定値の変更要求を２０２カメラ設定処理部に行う。
【００３８】
S303
２０２カメラ設定処理部は現在操作されている設定値の種類の判定を行う。
【００３９】
S304
ここでは代表例として設定値の種類がTvであった場合について説明する。Av、ISOについては同様の処理フローとなるので説明を割愛する。まず、２０２カメラ設定処理部はTvの設定値が変更されると、２０３測光値演算処理部にTvの変化を通知する。２０３測光値演算処理部は２０４測光センサの信号値とカメラ設定値から測光演算を行って露出値を検出し、この露出値を２０２カメラ設定処理部に通知する。
【００４０】
S305
２０２カメラ設定処理部は露出値から撮像センサで得られる画像の輝度値が、白とびあるいは黒つぶれした高輝度限界あるいは低輝度限界を超える画質になっているかどうかを判断する。ここで、２０２カメラ設定処理部は露出値が高輝度限界あるいは低輝度限界を超える画質を「画質に影響のある設定値」であると判断する。
もし、画質に影響のある設定値でなかった場合はS306通常振動フィードバックを行う。画質に影響のない設定値から画質に影響のある設定値に切り替わるとき、あるいは画質に影響のある設定値であった場合はS307強調振動フィードバックを行う。
【００４１】
S306
１０４振動素子は通常振動フィードバックを行う指示を受けると、既定の振幅で104振動素子を駆動し、クリック感をユーザーにフィードバックする。
【００４２】
S307
１０４振動素子は強調振動フィードバックを行う指示を受けると、既定の振幅よりも大きな振幅に変更し、大きなクリック感をユーザーにフィードバックする。ここで振動の振幅の代わりに振動の周波数あるいは振動の回数を変更してもよい。
【００４３】
以上により、本発明の最良の実施例を説明してきた。本発明によればユーザーが設定値の変更を行ったときに「画質に影響のない範囲内で設定値の操作をしている」ことを簡便に知る手段が実現可能となる。
【００４４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【産業上の利用可能性】
【００４５】
主には１眼レフカメラの振動フィードバックの制御方法および制御装置に利用可能である。
【符号の説明】
【００４６】
１０１  カメラ本体
１０２  画面表示部
１０３  静電容量センサ入力装置
１０４  振動素子
２０１  入力処理部
２０２  カメラ設定処理部
２０３  測光値演算処理部
２０４  測光センサ
【図１】
2019184896.tif 000003
【図２】
2019184896.tif 000004
【図３】
2019184896.tif 000005
【図４】
2019184896.tif 000006
【図５】
2019184896.tif 000007